(57)【要約】【課題】地紋画像等を付加して文書を印刷する際に、その有無を一般ユーザの任意に委ねることなく、管理者において正しく管理する。【解決手段】ユーザのＰＣ等からＭＦＰに印刷要求を発行すると、そのジョブを送信したアプリケーションが事前に登録されたものであるか否かをＭＦＰの制御ユニットが判断する（ステップＳ１０）。その結果、登録されているアプリケーションに該当していれば（Ｙｅｓ）、ＭＦＰは自動的に地紋印刷を実行する（ステップＳ１２）。【選択図】図４
2010034654.tif 000002
【特許請求の範囲】
【請求項１】
所定の外部機器で生成された印刷用データを受信するデータ受信手段と、
前記印刷用データに基づいて画像処理を行い、画像データを生成する画像処理手段と、
前記画像データに基づいて画像を形成する画像形成手段と、
前記印刷用データに対して前記外部機器により付加された固有情報に基づき、前記画像データに付加情報を含めた状態で前記画像形成手段により画像を形成するべきか否かを決定する制御手段と
を備えたことを特徴とする画像形成システム。
【請求項２】
請求項１に記載の画像形成システムにおいて、
前記制御手段は、
前記固有情報として前記印刷用データの生成に用いられたアプリケーションに関する情報を取得し、その結果、特定のアプリケーションを用いて前記印刷用データが生成されたことを確認した場合、前記画像データに付加情報を含めた状態で画像を形成するべき旨を決定することを特徴とする画像形成システム。
【請求項３】
所定の画像処理を通じて生成した画像データに基づいて画像を形成する画像形成システムのコンピュータに、
所定の外部機器で生成された印刷用データを受信する手順と、
前記印刷用データに対して前記外部機器により付加された固有情報を取得する手順と、
取得した前記固有情報に基づき、前記画像処理において前記印刷用データとは別の付加情報を含めた状態で前記画像データを生成するべきか否かを判断する手順と、
前記判断の結果に基づき、前記付加情報を含めた状態で前記画像データを生成するか、もしくは前記付加情報を含めない状態で前記画像データを生成するかのいずれかの態様で前記画像処理を進行させる手順と
を実行させる画像形成用プログラム。
【請求項４】
請求項３に記載の画像形成用プログラムにおいて、
前記取得する手順として、
前記印刷用データの生成に用いられたアプリケーションに関する情報を取得する手順を実行させ、
前記判断する手順として、
特定のアプリケーションを用いて前記印刷用データが生成されたか否かを確認する手順を実行させ、
その結果、前記特定のアプリケーションを用いて前記印刷用データが生成されたことを確認した場合、
前記進行させる手順として、
前記付加情報を含めた状態で前記画像データを生成する態様で前記画像処理を進行させる手順を実行させ、
一方、前記判断する手順で前記特定のアプリケーションを用いて前記印刷用データが生成されたことを確認しなかった場合、
前記進行させる手順として、
前記付加情報を含めない状態で前記画像データを生成する態様で前記画像処理を進行させる手順を実行させることを特徴とする画像形成用プログラム。
【発明の詳細な説明】
【技術分野】
【０００１】
本発明は、例えばプリンタや複写機、ファクシミリ送受信機、これらの機能を備えた複合機、多機能周辺機器等の画像形成システム、及び画像形成システムのコンピュータにより実行される画像形成用プログラムに関する。
【背景技術】
【０００２】
従来、ユーザからの特殊な操作に応じて、文書等の画像に地紋画像を付加して印刷する先行技術が知られている（例えば、特許文献１参照。）。すなわち、この先行技術は、ユーザによって特殊なコマンドが入力されると、印刷用の文書画像に地紋画像を合成して出力するものである。地紋画像は、例えば背景画像にマスク画像を潜像として埋め込んだものであり、地紋画像が用紙に印刷された状態では、マスク画像を肉眼で観察することは困難である。ただし、画像形成の過程で背景画像の解像度は複写機で再現不能な解像度に変換されているため、印刷された文書画像を複写すると、潜像パターンが複写物にくっきりと現れる。
【０００３】
このため上記の先行技術によれば、通常の用紙を用いて印刷を行った場合であっても、ユーザが必要に応じて地紋画像の付加を指示すれば、特殊な複写偽造防止用紙を用いたときと同様に複写を禁止した印刷物を得ることができると考えられる。
【特許文献１】特開２００１−１９７２９７号公報（段落００３２〜００４８、図２、図３）
【発明の開示】
【発明が解決しようとする課題】
【０００４】
上記の先行技術は、文書の印刷時に地紋を付加するかどうかをあくまでユーザの任意に委ねており、そこに一定の利便性があると認められる。しかしながら、例えば企業等において複写禁止の対象となっている文書であれば、これを必ず地紋画像を付加した状態で印刷する必要があり、その都度、地紋の有無をユーザ（一般従業員等）の任意によって選択できる状態はセキュリティ管理の観点から好ましくない。もちろん、特殊な操作を管理者のみに許可すればよいが、所詮は人が決めただけのことであるから、そこに人的な間違いが生じないという保証はない。
【０００５】
そこで本発明は、地紋画像等を付加して文書を印刷する際に、その有無を一般ユーザの任意に委ねることなく、管理者等の権限において正しく管理することができる技術の提供を課題とする。
【課題を解決するための手段】
【０００６】
本発明の画像形成システムは、印刷対象となる文書等に固有の特性に基づいて地紋印刷の有無を決定することにより、上記の課題を解決するものである。すなわち本発明の画像形成システムは、所定の外部機器で生成された印刷用データを受信するデータ受信手段と、この受信した印刷用データに基づいて画像処理を行い、画像データを生成する画像処理手段と、この生成された画像データに基づいて画像を形成する画像形成手段とを備える。また画像形成システムは、上記の印刷用データに対して外部機器により付加された固有情報に基づいて画像データに付加情報を含めた状態で画像形成手段により画像を形成するべきか否かを決定する制御手段を備えるものである。なお画像形成システムは、画像形成手段により形成された画像を媒体に印刷する印刷手段を備えてもよい。
【０００７】
本発明の画像形成システムによれば、画像データに付加情報を含めた状態で画像を形成することにより、文書等の印刷時に例えば上記の地紋画像を付加することができる。このとき、付加情報を含めるかどうかは、外部機器から受信した印刷用データに含まれる固有情報に基づいて決定される。すなわち、印刷用データには、その本来の印刷内容（例えば文書内容）の他に、外部機器によって付加された固有情報が含まれている。このような固有情報は、通常、ユーザの覚知することのない内部情報（制御上の情報）として存在するものであり、ユーザの任意により付加したり付加しなかったりを選択できるものではない。このため制御手段において、どのような固有情報を受け取った場合に付加情報を含めて画像データを生成するべきかを予め設定しておくことにより、ユーザの任意に委ねることなく、地紋等の印刷の有無を正しく管理することができる。
【０００８】
上記の制御手段は、固有情報として印刷用データの生成に用いられたアプリケーションに関する情報を取得し、その結果、特定のアプリケーションを用いて印刷用データが生成されたことを確認した場合、画像データに付加情報を含めた状態で画像を形成するべき旨を決定することができる。
【０００９】
外部機器において何らかのアプリケーションを用いて印刷用データが生成される場合、その印刷用データには固有情報として、いずれのアプリケーションを用いて生成されたものであるのかを表す情報が含まれている。このため、例えば企業等において機密文書等の作成用に特定のアプリケーションが予め決まっている場合、画像形成システムにおいて特定のアプリケーションを用いて作成された文書であることが確認できれば、その印刷用データについては必ず付加情報を含めて画像を形成することで、印刷物に地紋画像等の付加情報を確実に刷り込むことができる。
【００１０】
また本発明は、画像形成システムのコンピュータにより実行される画像形成用プログラムを提供する。このプログラムは、少なくとも以下の手順をコンピュータに実行させるものである。
【００１１】
（１）所定の外部機器で生成された印刷用データを受信する手順。
（２）印刷用データに対して外部機器により付加された固有情報を取得する手順。
（３）取得した固有情報に基づき、画像処理において印刷用データとは別の付加情報を含めた状態で画像データを生成するべきか否かを判断する手順。
（４）判断の結果に基づき、付加情報を含めた状態で画像データを生成するか、もしくは付加情報を含めない状態で画像データを生成するかのいずれかの態様で画像処理を進行させる手順。
【００１２】
画像形成システムのコンピュータが上記の手順を実行することより、上述した画像形成システムとしての機能を実現することができる。
【００１３】
より好ましくは、上記（２）〜（４）の手順はさらに以下の内容を有する。
上記（２）の取得する手順は、印刷用データの生成に用いられたアプリケーションに関する情報を取得する手順である。また上記（３）の判断する手順は、特定のアプリケーションを用いて印刷用データが生成されたか否かを確認する手順である。
【００１４】
上記（４）の進行させる手順は、上記（３）の手順での判断結果によって異なる手順に分岐する。すなわち、（３）の手順で特定のアプリケーションを用いて印刷用データが生成されたことを確認した場合、（４）の進行させる手順は、付加情報を含めた状態で画像データを生成する態様で画像処理を進行させる手順となる。
【００１５】
一方、（３）の判断する手順で特定のアプリケーションを用いて印刷用データが生成されたことを確認しなかった場合、（４）の進行させる手順は、付加情報を含めない状態で画像データを生成する態様で画像処理を進行させる手順となる。
【００１６】
以上の詳細な手順をコンピュータに実行させることで、特定のアプリケーションを用いて作成された印刷用データについては、画像形成システムにおいて確実に付加情報を付加した状態で画像を形成することができる。このため、出力された印刷物には常に付加情報が刷りこれまた状態となる。
【発明の効果】
【００１７】
本発明によれば、ユーザの任意に委ねることなく機密文書等のセキュリティを正しく管理することができる。このため、本来なら地紋等を含めて印刷するべき文書に地紋が印刷されていなかったり、逆に地紋の印刷が不要である文書に間違って地紋を印刷してしまったりする事態を未然に防止することができるので、セキュリティ管理の向上に加えてユーザの利便性をも向上することができる。
【発明を実施するための最良の形態】
【００１８】
以下、本発明の実施形態について図面を参照しながら説明する。
【００１９】
図１は、画像形成システム（又は画像形成装置）の一例である多機能周辺機器１（以下、「ＭＦＰ」と呼称する。）を左前上方から示す斜視図である。図１中、ＭＦＰ１はユーザ（操作者）に相対する正面と、ユーザからみて左側の面とが示されている。
【００２０】
ＭＦＰ１は、例えば据え置き型の装置本体２を有する。この装置本体２は例えば胴内排紙型であり、その内側には排紙トレイ１５が形成されている。またＭＦＰ１は、装置本体２の上側に連結された原稿送り装置（ＡＤＦ）８を備えている。装置本体２はその上部に光学式のスキャナ部（画像読取部）９を備える。ユーザがＭＦＰ１を複写機やファクシミリ、ネットワークスキャナとして利用する場合、ＭＦＰ１はこの原稿送り装置８を用いて原稿を自動送りすることができる。また、自動送りされた原稿の画像面はスキャナ部９にて光学的に読み取られる。
【００２１】
ＭＦＰ１は、スキャナ部９の手前側に設置された操作パネル２０を備える。この操作パネル２０は、ユーザの各種操作に供される複数の操作キーやスイッチ（図１中参照符号なし）を有する。また操作パネル２０は表示画面２１を有している。この表示画面２１は各種の情報を表示する。表示画面２１はタッチパネル式の入力デバイスを兼用しており、その表示画面２１は操作用のメニューボタン等の画像を表示する。
【００２２】
装置本体２は、その下部にフロントローディング式の用紙供給装置３を保有する。詳しくは、用紙供給装置３は上下２段の給紙カセット４を含んでいる。ユーザは、各カセット４をＭＦＰ１の正面側に向けて引き出したり、背面側に向けて押し込んだりすることができる。またユーザは、各カセット４を引き出した状態でその内部に用紙を補給することができる。
【００２３】
図２は、ＭＦＰ１の内部構造を概略的に示す図である。なお、図中に実線で示された矢印は用紙の搬送方向を表している。各カセット４には用紙Ｐが積層した状態で収容されており、用紙Ｐはカセット４から１枚ずつ分離されて図中の左上方向に向けて送出される。
【００２４】
装置本体２は、用紙供給装置３の左方に用紙搬送部６を備えている。用紙搬送部６は、カセット４から送出された用紙Ｐを装置本体２の左側面に沿って上方に向けて搬送する。また、装置本体２はその右側面に開閉式の手差しトレイ５を備えている。この手差しトレイ５から供給された用紙もまた、図中でみて装置本体２の右側から左方向に向けて搬送され、その後、上方に向けて縦搬送される。
【００２５】
装置本体２は、その内部に搬送方向でみて下流側から順にレジストローラ７、画像形成部１０及び転写部１１を備えている。また装置本体２は、図２でみて画像形成部１０の右方に設置されたレーザースキャニングユニット（ＬＳＵ）１４を備えている。このレーザースキャニングユニット１４は画像形成部１０の感光体ドラム（図中参照符号なし）に向けて走査光を照射する。なお画像形成部１０の機能は公知であり、その詳細は省略する。
【００２６】
また装置本体２は、用紙搬送方向でみて転写部１１の下流側に定着部１２及び排出分岐部１３を備えている。定着部１２はローラ対１９を有しており、このローラ対１９の間に用紙Ｐを挟み込んだ状態で搬送しつつ、用紙Ｐにトナー画像を定着させる。ＭＦＰ１が片面印刷を行う場合、定着部１２から排出された用紙は排出分岐部１３を経て排紙トレイ１５に排出される。排出分岐部１３と用紙搬送部６との間に両面印刷用ユニット１６が配置されている。この両面印刷用ユニット１６は定着部１２から排出された用紙を用紙搬送部６に戻し、画像形成部１０に向けて再び送出する。
【００２７】
図３は、ＭＦＰ１の制御上の構成に関するブロック図である。以下、それぞれについて説明する。
【００２８】
上記のようにＭＦＰ１は、その基本機能を実現する構成として、用紙搬送部６、レジストローラ７、原稿送り装置８及びスキャナ部９を備えるほか、画像形成部１０、レーザースキャニングユニット１４、転写部１１及び定着部１２を備えている。また画像形成部１０は、感光体ドラム１０ａや帯電器１０ｂ、現像ユニット１０ｃ等の要素（図２には符号が示されていない）を含む。
【００２９】
ＭＦＰ１は制御ユニット３０を備えており、この制御ユニット３０は上記の各構成要素の動作を制御する。また操作パネル２０は、ユーザの操作に応じて制御ユニット３０に操作信号を入力するほか、制御ユニット３０からの出力に基づいて表示画面２１に操作メニュー等の画像を表示する。
【００３０】
図３には示されていないが、制御ユニット３０は例えば中央処理装置（ＣＰＵ）をはじめ、ＲＯＭやＲＡＭ等のメモリデバイスを有したコンピュータである。このような制御ユニット３０は、例えば電子回路基板上に上記のＣＰＵやＲＯＭ、ＲＡＭ等の半導体デバイスを実装したモジュールとして装置本体２に内蔵されている。
【００３１】
またＭＦＰ１はネットワーク通信部２２を備えており、このネットワーク通信部２２は、外部機器（例えばパーソナルコンピュータ）との間でネットワーク通信を行う機能を有する。ＭＦＰ１は、ネットワーク通信部２２を通じて図示しないネットワーク（例えばＬＡＮ）に接続されている。また図示していないが、この他にＭＦＰ１は電話回線に接続するためのモジュラージャックを備えるほか、例えばＵＳＢ規格やＩＥＥＥ規格に準拠したコネクタを備えていてもよい。
【００３２】
以上がＭＦＰ１の制御に関する構成の概要である。制御ユニット３０が上記の各要素の動作を制御することで、ＭＦＰ１において原稿画像の読み取りや印刷用データの受信、画像処理、画像の形成及び印刷が実際に行われる。加えて制御ユニット３０は、予め組み込まれた印刷オプション機能として、印刷実行時に地紋印刷又は通常印刷のいずれかの形態を選択することができる。以下、制御ユニット３０が印刷実行時に実行する画像形成用プログラムについて説明する。
【００３３】
図４は、制御ユニット３０が実行する印刷実行処理の手順例を示すフローチャートである。以下、手順に沿って説明する。
【００３４】
〔印刷用データの受信〕
ステップＳ１０：制御ユニット３０は、ネットワーク通信部２２を通じて印刷用データを受信したか否かを確認する。印刷用データは、上記のように例えばネットワークに接続された外部機器（パーソナルコンピュータ）等から送信されるものである。特に印刷用データを受信していなければ（Ｎｏ）、制御ユニット３０は引き続き待ち受け状態となる。そして、制御ユニット３０は印刷用データを受信したことを確認すると（Ｙｅｓ）、次にステップＳ１１を実行する。
【００３５】
〔固有情報の確認〕
ステップＳ１１：次に制御ユニット３０は、今回受信した印刷用データが登録されているアプリケーションを用いて生成（作成）されたものであるか否かを判断する。この判断は、例えば以下の方法を用いて行うことができる。
【００３６】
（１）１つ目の方法は、今回の印刷用データを送信してきたアプリケーションの名称から判断する方法である。この方法を用いる場合、ＭＦＰ１の管理者は、制御ユニット３０の記憶部（例えばＲＡＭ）に予めアプリケーションの名称を登録しておくものとする。
【００３７】
アプリケーションの名称は、プリンタドライバを動作させているプロセスのイメージ名（実行ファイル名）から判断することができる。プロセスのイメージ名は、印刷用データを送信してきたアプリケーションに固有の情報（例えば”ＫＣ−ＷＯＲＤ．ＥＸＥ”，”ＤＬＬ２３．ＥＸＥ”，”ＴＯＯＬ．ＥＸＥ”等）であるため、このイメージ名はパーソナルコンピュータで実行中のアプリケーション名称に対応している。
【００３８】
したがって、ＭＦＰ１が印刷用データ（印刷ジョブ）を受信した場合、制御ユニット３０はプロセスのイメージ名を取得するＡＰＩ（例えば、ＧｅｔＭｏｄｕｌｅＦｉｌｅＮａｍｅ（））を実行することで、取得したイメージ名からアプリケーション名称を知ることができる。制御ユニット３０は、このときの名称が登録済みのアプリケーション名称に該当するか否かを判断する。
【００３９】
（２）２つ目の方法は、今回の印刷用データに付されているジョブ名称から確認する方法である。この方法を用いる場合、制御ユニット３０はその記憶部にアプリケーションごとに固有のジョブ名称を登録しておくものとする。
【００４０】
印刷用データを受信すると、ＭＦＰ１のスプーラにジョブ名称が蓄積される。このため、制御ユニット３０はスプーラに蓄積されたデータからジョブ名称を取得することができる。すなわち、例えば、企業の基幹業務用として一般的に普及しているアプリケーションには、印刷用データごとにジョブ名の先頭に固有情報を付加する機能を有しているものが多い。この固有情報は、例えばアプリケーションの名称に依存した文字列（例えば”ＫＣ−ＷＯＲＤ・・・”等のテキストデータ）であり、この文字列はＭＦＰ１に対して印刷要求を発行してきたアプリケーションに対応している。
【００４１】
したがって、ＭＦＰ１が印刷用データ（印刷ジョブ）を受信した場合、制御ユニット３０はジョブ名称を取得するＡＰＩ（例えば、ＳｔａｒｔＤｏｃ（））を実行し、その引数であるＤＯＣＩＮＦＯ構造体を解読することで、ジョブ名称の先頭文字列（例えば数バイト分）を知ることができる。制御ユニット３０は、このときのジョブ名称が登録済みのアプリケーションに対応するものであるか否かを判断する。
【００４２】
上記（１），（２）の判断方法は、いずれか一方だけを用いてもよいし、両方を並列に用いてもよい。両方を並列で用いる場合、制御ユニット３０は２つのＯＲ条件で判断を行う。いずれにしても、今回受信した印刷用データが登録されているアプリケーションを用いて生成されたものであることを確認した場合（Ｙｅｓ）、制御ユニット３０は次にステップＳ１２を実行する。
【００４３】
ステップＳ１２：制御ユニット３０は、地紋印刷実行処理を実行する。この場合、制御ユニット３０は画像処理のプロセスで画像データに地紋画像を含める。そして制御ユニット３０は、地紋画像を含めた画像データに基づいて画像形成部１０による画像形成動作を制御する。これにより、ＭＦＰ１は文書等に地紋を埋め込んだ状態で印刷を実行することができる。
【００４４】
これに対し、今回受信した印刷用データが登録されているアプリケーションを用いて生成されたものでないと判断した場合（ステップＳ１１：Ｎｏ）、制御ユニット３０は以下の手順を実行する。
【００４５】
ステップＳ１４：制御ユニット３０は、現時点で地紋印刷の設定が有効であるか否かを確認する。この設定は、例えば管理者以外の一般ユーザが任意に行うことができるものである。現在の設定が有効であることを確認した場合（Ｙｅｓ）、制御ユニット３０は上記のステップＳ１２に進む。これにより、ＭＦＰ１はユーザの任意で地紋印刷を実行することができる。
【００４６】
ステップＳ１６：一方、現在の地紋印刷の設定が有効でないことを確認した場合（ステップＳ１４：Ｎｏ）、制御ユニット３０は通常印刷実行処理を実行する。この場合、制御ユニット３０は画像処理において画像データに地紋画像を含めない。そして制御ユニット３０は、通常の（地紋画像を含まない）画像データに基づいて画像形成部１０による画像形成動作を制御する。これにより、ＭＦＰ１は通常の印刷を実行する。
【００４７】
図５は、ＭＦＰ１が事前にアプリケーションの登録を受け付ける際の作業メニューの例を示す図である。ＭＦＰ１の管理者（一般ユーザ以外の権限のある人物）は、例えば操作パネル２０を通じて制御ユニット３０の管理メニューを実行し、アプリケーションを登録することができる。
【００４８】
アプリケーションの登録は、上記の２つの方法に対応して２通りに行うことができる。したがって管理者は、（１）アプリケーション名称から登録する方法と、（２）ジョブ名称から登録する方法のいずれか一方又は両方を選択することができる。
【００４９】
アプリケーション名称から登録する場合、管理メニューの中で「アプリケーション名称から登録する」のチェックボックスにチェックを入れると、例えば１段目の行にプルダウン式にアプリケーション一覧が表示される。この場合、管理者はプルダウンボタン（図中の▽印）をタッチし、一覧表示された中から地紋印刷の対象とするアプリケーションを選択して登録する。図示の例は、”ＫＣ−ＷＯＲＤ”を一覧から選択した状態を示している。この状態で”ＯＫ”ボタンをタッチすると、選択したアプリケーション名称が登録される。
【００５０】
また管理者は、任意のアプリケーション名称を入力することもできる。この場合、管理メニューの中で「任意のアプリを入力」のラジオボタンにチェックを入れ、２段目の行に任意のアプリケーション名称をテキスト入力して”ＯＫ”ボタンをタッチすればよい。
【００５１】
あるいは、ジョブ名称から登録する場合、管理メニューの中で「ジョブ名称から登録する」のチェックボックスにチェックを入れると、３段目の行が入力可能となる。そして管理者は、３段目の行に登録したいアプリケーションに対応したジョブ名称の文字列をテキスト入力して”ＯＫ”ボタンをタッチすればよい。
【００５２】
特に図示していないが、登録済みのアプリケーションは、管理メニューの「登録一覧」タブをタッチすることで一覧表示される。管理者は、この画面上で登録済みのアプリケーションを確認したり、削除したりすることができる。
【００５３】
以上のように、図４に手順例を挙げた画像形成用プログラムをＭＦＰ１の制御ユニット３０が実行することで、予めＭＦＰ１に登録されているアプリケーションで作成した文書をユーザが印刷しようとすると、ユーザの任意によることなく、必ず地紋印刷が実行される。このため、地紋印刷の有無をユーザの任意に委ねることなく、管理者権限によって正しく管理することができる。このようなシステムは、例えば企業内で基幹システム（例えば勤怠管理システム、経理管理システム等）で使用される文書の印刷管理に適している。なお、登録されていないアプリケーションについては、ユーザの任意で地紋印刷を選択することもできるため（上記のステップＳ１４）、依然としてユーザの利便性を損なうことはない。
【００５４】
本発明は上述した実施形態に制約されることなく、種々に変形して実施可能である。例えば、画像データに付加される付加情報は地紋画像だけでなく、何らかの管理情報（例えば、複写機の動作を禁止する命令）をコード化して埋め込んだ電子透かしであってもよい。
【００５５】
なお、画像形成プログラムはコンピュータの記憶装置に組み込まれたものだけでなく、例えばＣＤ−ＲＯＭのような記録媒体に記録されているものでもよいし、ネットワーク上のサーバに記録されているものであってもよい。いずれにしても、画像形成システムのコンピュータがプログラムを読み込んで実行することにより、上述したシステムとしての動作を実現することができる。
【００５６】
その他、一実施形態では画像形成システムの例としてＭＦＰを挙げているが、画像形成システムはプリンタ専用機であってもよい。
【図面の簡単な説明】
【００５７】
【図１】ＭＦＰの斜視図である。
【図２】ＭＦＰの内部構造を概略的に示す図である。
【図３】ＭＦＰの制御上の構成に関するブロック図である。
【図４】印刷実行処理の手順例を示すフローチャートである。
【図５】ＭＦＰが事前にアプリケーションの登録を受け付ける際の作業メニューの例を示す図である。
【符号の説明】
【００５８】
１    ＭＦＰ
３    用紙供給装置
４    給紙カセット
１０    画像形成部
１１    転写部
２０    操作パネル
２２    ネットワーク通信部
３０    制御ユニット
【図１】
2010034654.tif 000003
【図２】
2010034654.tif 000004
【図３】
2010034654.tif 000005
【図４】
2010034654.tif 000006
【図５】
2010034654.tif 000007